(57)【要約】【課題】録音及び再生時に、記録再生専用のジャックを介在させるのが不要であって、市販のプラグをそのまま用いてオーディオ機器などからのオーディオ信号を取込んで録音することができる携帯電話機器を提供する。【解決手段】送話音声マイクアンプ１４Ａの入力と、受話音声及びオーディオ再生用アンプ１４Ｂ及び１４Ｃの出力と、録音用アンプ１４Ｄ及び１４Ｅの入力とに、それぞれ、スイッチ１２Ａ〜１２Ｅを設け、イヤホンマイク接続用ジャック２のＬチャンネル音声出力端子２２を、記録用Ｒチャンネルアンプ１４Ｅの入力端子に接続したスイッチ１２Ｅの一端に接続し、イヤホンマイク接続用ジャック２のマイク音声入力端子２１を、記録用Ｌチャンネルアンプ１４Ｄの入力端子に接続したスイッチ１２Ｄの一端に接続した。これにより、変換アダプタを介在させずイヤホンマイクジャック３で、オーディオ記録と再生を行うようにした。【選択図】　図１
2004056485.tif 000002
【特許請求の範囲】
【請求項１】
オーディオ記録再生機能を有し、イヤホンマイク用ジャックが備えられた携帯電話機器であって、
受話音声及びオーディオ再生を行う再生部のＬチャンネル出力端子とオーディオ記録を行う記録部のＲチャンネル入力端子とを、又は受話音声及びオーディオ再生を行う再生部のＲチャンネル出力端子とオーディオ記録を行う記録部のＬチャンネル入力端子とを結合するとともに、
前記イヤホンマイクからの信号が入力するイヤホンマイク用信号入力端子と前記記録部のＬチャンネル入力端子とを、又は前記イヤホンマイクからの信号が入力するイヤホンマイク用信号入力端子と前記記録部のＲチャンネル入力端子とを結合し、
前記イヤホンマイク用ジャックと直接イヤホンマイク用プラグで接続したケーブルを介してオーディオ機器からのオーディオ記録及び再生を行うように構成したことを特徴とする携帯電話機器。
【請求項２】
オーディオの記録及び再生をおこなう記録再生部と、送話音声マイクアンプと、受話音声及びオーディオ再生用アンプと、オーディオ記録用アンプとを有するとともに、イヤホンマイク用ジャックが備えられた携帯電話機器であって、
前記送話音声マイクアンプ入力端子と、前記受話音声及びオーディオ再生用アンプ出力端子と、オーディオ記録用アンプのＲチャンネル及びＬチャンネルの各入力端子とに、それぞれ、スイッチを接続して設け、
前記イヤホンマイク用ジャックのＬチャンネル音声出力端子を、前記オーディオ記録用アンプのＲチャンネル入力端子に接続した前記スイッチの一端に、又は前記イヤホンマイク用ジャックのＲチャンネル音声出力端子を、前記オーディオ記録用アンプのＬチャンネル入力端子に接続した前記スイッチの一端に結合し、前記イヤホンマイク用ジャックのマイク音声入力端子を、前記オーディオ記録用アンプのＬチャンネル入力端子に接続した前記スイッチの一端に、又は前記イヤホンマイク用ジャックのマイク音声入力端子を、前記オーディオ記録用アンプのＲチャンネル入力端子に接続した前記スイッチの一端に結合し、
変換アダプタを介在させずに前記イヤホンマイク用ジャックと直接イヤホンマイク用プラグで接続したケーブルを介して、オーディオ機器からのオーディオ記録及び再生を行うように構成したことを特徴とする携帯電話機器。
【請求項３】
前記オーディオ機器からの再生音を入力して前記記録部又は前記記録再生部で記録中、その再生信号を内蔵レシーバへ出力するように構成したことを特徴とする請求項１又は２に記載の携帯電話機器。
【請求項４】
前記オーディオ機器からの再生音を入力して前記記録部又は前記記録再生部で記録中、その再生信号を内蔵スピーカへ出力するように構成したことを特徴とする請求項１又は２に記載の携帯電話機器。
【請求項５】
前記オーディオ機器からの再生音を入力して前記記録部又は前記記録再生部で記録中、その再生信号を後位機器接続用のコネクタの外部音声出力端子へ出力するように構成したことを特徴とする請求項１又は２に記載の携帯電話機器。
【請求項６】
携帯電話機器の本体内部に、オーディオの記録及び再生を行う記録再生部を有するとともにイヤホンマイク用ジャックが実装され、かつ、前記イヤホンマイク用ジャックのリモコン信号用の入力端子にリモコン制御回路と光記録回路とを共通接続した、前記携帯電話機器に用いるイヤホンマイクであって、
前記イヤホンマイクの本体内部にリモコン部を備えるとともに光記録用受光素子を実装し、
前記イヤホンマイクの本体内部において、前記光記録用受光素子の出力端子を前記リモコン部のリモコン信号の出力端子に接続し、
オーディオ機器の再生音信号を光ケーブルにより前記イヤホンマイク本体内部に設けた前記光記録用受光素子を介して前記携帯電話機器の本体内部の前記記録再生部で記録するとともに、前記携帯電話機器の本体内部の前記記録再生部での再生音を前記イヤホンマイク側で聴取するように構成したことを特徴とする携帯電話機器に用いるイヤホンマイク。
【請求項７】
携帯電話機器の本体内部に備えたイヤホンマイク用ジャックを、一般オーディオ用ジャックと同一機能に変換させ、携帯電話機器に接続して使用する携帯電話機器用アダプタであって、
前記携帯電話機器側に設けた記録用Ｌ側及びＲ側の各チャンネル用のアンプの入力端子とそれぞれ接続されるＬ側及びＲ側の各チャンネルの音声出力端子を備え、
前記光デジタル記録用受光素子を実装し、
その受光素子の出力と接続したリモコン信号出力端子を備え、
前記オーディオ機器側で再生の再生音を携帯電話機器側の記録再生部で記録及び再生する際に、前記携帯電話機器に備えた前記イヤホンマイク用のジャックとオーディオ機器との間に介在させることを特徴とする携帯電話機器用アダプタ。
【発明の詳細な説明】
【０００１】
【発明の属する技術分野】
本発明は、オーディオ録音、再生機能を有する携帯電話機器、並びにこれに用いるイヤホンマイク、及びアダプタに関する。
【０００２】
【従来の技術】
近年、携帯電話機は小型化が急速に進展しているが、これと共に携帯電話機の多機能化が図られている。
【０００３】
このような状況の中で、近年、例えばＣＤプレーヤ等の外部のオーディオ機器と接続することにより、本体内に搭載されたＳＤカード等の記憶装置にオーディオ信号を録音・記憶するとともに、更にこの録音・記憶されたオーディオ信号を、ヘッドホンを介して再生することができる記録再生装置付き携帯電話機が提案され開発されている。
【０００４】
この種のオーディオ用の記録再生装置を組み込んだ携帯電話機にあっては、オーディオ用の記録再生装置を用いて音楽などを楽しむため、この携帯電話機にステレオイヤホンジャックを取付けた構成のものが知られている。
例えば、この記録再生装置付き携帯電話機では、ステレオイヤホンジャックに専用のステレオイヤホンプラグを差し込んで電気的に接続し、そのステレオイヤホンプラグを通してイヤホンを接続するように構成されたものが知られており、ジャックやプラグにそれぞれマイク用の端子を設け、マイク用の端子に接続されたマイクと前述のイヤホンを用いて、各種の録音や通話が可能になっている。
【０００５】
即ち、この種の携帯電話機では、例えば図７に示すように、ステレオイヤホンプラグ２００（図９参照）を差し込んで使用するために、携帯電話機専用のステレオイヤホンジャック１００（図８参照）が設けられている。
このジャック１００には、携帯電話機内部に設けたスイッチ回路３０１（３０１Ａ〜３０１Ｅ）を介在させたアンプ３０２（３０２Ａ〜３０２Ｅ）などと、携帯電話機Ｔ外部のステレオイヤホン４００に設けたマイク４０１、イヤホン４０２、４０３、リモコンスイッチ４０４などとをそれぞれ接続するため後述する第１端子１０１〜第７端子１０７を備えた構成となっている。なお、図中、符号３０３は通話記録再生切換え回路、３０４は切換え制御部、３０５は記録再生回路、３０６は無線回路をそれぞれ示すものである。
【０００６】
【発明が解決しようとする課題】
しかしながら、このような録再機能付き携帯電話機にあっては、前述した録音専用のジャックを備える必要があったり、既存のイヤホンマイク用のジャックを備えた構成の場合には録音の際には必ず変換アダプタをそのジャックに取付けることが必要となっていた。
【０００７】
また、通常、携帯電話機のイヤホンマイク用のジャックは、あくまで携帯電話機専用であって、例えば一般に市販されているヘッドホンを使用して再生しようとすると、ヘッドホンに設けられたプラグをそのままそのジャックに接続して使用することができない。従って、前述の録音内容を再生しようとするときにも、変換アダプタをそのジャックに取付けることが必要となっていた。また、この変換アダプタを使用しない場合には、前述した専用のイヤホンマイクを使用しなければならなかった。
【０００８】
これらについて、図面を参照しながら、以下に具体的に説明する。
図７に示す従来の携帯電話機にあっては、ジャック１００の接続端子の配置関係から、図１０に示すように、先端部からＬチャンネル用導体５０１、Ｒチャンネル用導体５０２、アース用導体５０３を設けた市販のオーディオ用のステレオプラグを使用して図示外のオーディオ機器（携帯電話機の外部機器である）からのオーディオ信号を携帯電話機の本体内部の記録再生回路３０５に取込んで録音することができない。つまり、この場合は、必ず別の専用のアダプタが必要となる、という問題があった。
【０００９】
即ち、前述した従来の携帯電話機専用のステレオイヤホンジャック１００は、例えば図７及び図８に示すように、一番奥にある第１端子１０１がマイク端子、奥から２番目である第２端子１０２がＬチャンネル、奥から３番目である第３端子１０３及び第４端子１０４がアース端子、更に奥から４番目であるその次の第５端子１０５がＲチャンネル、残りの第６端子１０６及び第７端子１０７がそれぞれステレオ検出用及びリモコン信号用の端子などとなっている。
【００１０】
そして、この専用のジャック１００に設けたこれらの端子が、図７に示すように、携帯電話機Ｔの本体内部の各種回路（マイクアンプ３０２Ａ、Ｌチャンネルアンプ３０２Ｂ、Ｒチャンネルアンプ３０２Ｃ、Ｌチャンネル録音用アンプ３０２Ｄ、Ｒチャンネル録音用アンプ３０２Ｅ、通話記録再生切換回路３０６など）に接続されている。
【００１１】
一方、専用のステレオイヤホンプラグ２００については、図７及び図９に示すように、専用のジャック１００の各端子に対応してこれに接続させるために第１導体２０１〜第６導体２０６が形成されている。即ち、ステレオイヤホンプラグ２００には、（ジャック１００の第１端子１０１と接続する）マイク４０１用の第１導体２０１、（同第２端子１０２と接続する）Ｌチャンネル用イヤホン４０２のための第２導体２０２、（同第３端子１０３と接続する）携帯電話機１側のアースにつなぐ第３導体２０３、（同第５端子１０５と接続する）Ｒチャンネル用イヤホン４０３のための第４導体２０４、（同第６端子１０６と接続する）イヤホン側のステレオ信号のための第５導体２０５、（同第７端子１０７と接続する）リモコンスイッチ４０４につなぐ第６導体２０６が、それぞれ設けられている。
【００１２】
従って、従来の携帯電話機にあっては、図６に示すように、切換制御部３０４を用いて、通話・記録・再生・切換回路３０３やスイッチ回路３０１などをそれぞれ切換制御することにより、無線回路３０６、マイク４０１、イヤホン４０２、４０３を用いて通話したり、イヤホン４０２、４０３のみを用いて記録再生装置３１０からの再生信号を聴取したり、リモコンスイッチ４０４を用いて、記録再生回路３０５を録音状態、再生状態にそれぞれ切換えたりすることができる。
【００１３】
しかしながら、先に述べたように、従来の携帯電話機では、専用のジャック１００の一番奥の端子１０１がマイク用の端子である。従って、市販のステレオ用プラグ５００（図１０参照）を用いてオーディオ機器７００（図１１参照）を接続しようとした場合には、通常、この市販のステレオ用プラグ５００では、図９に示すように、最も先の導体５０１がＬチャンネル用、先から２番目の導体５０２がＲチャンネル用であり、その次（先から３番目）の導体５０３がアース用であることから、そのままでは使用できない。
【００１４】
このため、前述のジャック１００を設けた従来の携帯電話機では、市販のステレオ用プラグ５００の替わりに、例えば図１１に示すようなアダプタ６００を用いなければならない。
即ち、同図に示すように、前述のジャック１００に対応するプラグ６１０と、市販のステレオ用プラグ５００に対応するジャック６２０とを備えた専用のアダプタ６００などを用いなければ、市販のステレオなどのオーディオ機器７００からオーディオ信号を携帯電話機Ｔの本体内部の記録再生回路３０５に取込んで録音することができなかった。
【００１５】
さらに、図１２に示すように、市販のステレオなどのオーディオ機器７００から光ファイバ７１０及び専用のプラグ７２０を介して携帯電話機Ｔの本体内部の記録再生回路３０５による光録音を行う場合には、光録音回路３０３Ａとともに、図１３に示すように、携帯電話機Ｔの本体内部に、光ケーブル７１０からの信号光を受光して電気信号に変換する受光素子８１０を備えた光録音専用のイヤホンジャック８００が更に別に必要になる。また、通常、この光録音専用のイヤホンジャック８００を使用する場合には、この録音状態をモニタするためのイヤホンの接続端子が設置されていないために、録音中の音楽等の録音状態をモニタ聴取することができない等の不都合を生じている。
【００１６】
このように、従来の録再機能付き携帯電話機にあっては、録音及び再生時に、録音再生専用のジャックや変換アダプタを介在させる必要があったので、本体の大型化、コストの増大、ユーザの利便性の低下などの不都合をもたらしていた。
【００１７】
そこで、この発明は、上記した事情に鑑み、録音及び再生時に、録音再生専用のジャックを介在させるのが不要であって、市販のプラグをそのまま用いてオーディオ機器などからのオーディオ信号を取込んで録音することができるとともに録音モニタを行うことができ、本体の大型化、コストの増大、ユーザの利便性の低下等をもたらす虞のない携帯電話機器、並びにこれに用いるイヤホンマイク、及びアダプタを提供することを目的とするものである。
【００１８】
【課題を解決するための手段】
この発明の携帯電話機器は、オーディオ記録再生機能を有し、イヤホンマイク用ジャックが備えられた携帯電話機器であって、
受話音声及びオーディオ再生を行う再生部のＬチャンネル出力端子とオーディオ記録を行う記録部のＲチャンネル入力端子とを、又は受話音声及びオーディオ再生を行う再生部のＲチャンネル出力端子とオーディオ記録を行う記録部のＬチャンネル入力端子とを結合するとともに、
前記イヤホンマイクからの信号が入力するイヤホンマイク用信号入力端子と前記記録部のＬチャンネル入力端子とを、又は前記イヤホンマイクからの信号が入力するイヤホンマイク用信号入力端子と前記記録部のＲチャンネル入力端子とを結合し、
前記イヤホンマイク用ジャックと直接イヤホンマイク用プラグで接続したケーブルを介してオーディオ機器からのオーディオ記録及び再生を行うように構成したことを特徴としている。
【００１９】
これにより、既存の携帯電話機器用のステレオイヤホンマイク用ジャックに市販のステレオオーディオケーブルを直接接続可能となり、録音専用ジャックや変換アダプタを用いる必要がなく、既存の携帯電話機器用のステレオイヤホンジャックのみでアナログ録音及び録音された音楽などの再生動作を行うことができる。
【００２０】
また、この発明の携帯電話機器は、オーディオの記録及び再生をおこなう記録再生部と、送話音声マイクアンプと、受話音声及びオーディオ再生用アンプと、オーディオ記録用アンプとを有するとともに、イヤホンマイク用ジャックが備えられた携帯電話機器であって、
前記送話音声マイクアンプ入力端子と、前記受話音声及びオーディオ再生用アンプ出力端子と、オーディオ記録用アンプのＲチャンネル及びＬチャンネルの各入力端子とに、それぞれ、スイッチを接続して設け、
前記イヤホンマイク用ジャックのＬチャンネル音声出力端子を、前記オーディオ記録用アンプのＲチャンネル入力端子に接続した前記スイッチの一端に、又は前記イヤホンマイク用ジャックのＲチャンネル音声出力端子を、前記オーディオ記録用アンプのＬチャンネル入力端子に接続した前記スイッチの一端に結合し、前記イヤホンマイク用ジャックのマイク音声入力端子を、前記オーディオ記録用アンプのＬチャンネル入力端子に接続した前記スイッチの一端に、又は前記イヤホンマイク用ジャックのマイク音声入力端子を、前記オーディオ記録用アンプのＲチャンネル入力端子に接続した前記スイッチの一端に結合し、
変換アダプタを介在させずに前記イヤホンマイク用ジャックと直接イヤホンマイク用プラグで接続したケーブルを介して、オーディオ機器からのオーディオ記録及び再生を行うように構成したことを特徴としている。
【００２１】
これにより、同様に、既存の携帯電話機器用のステレオイヤホンマイク用ジャックに市販のステレオオーディオケーブルを直接接続可能となり、録音専用ジャックや変換アダプタを用いる必要がなく、既存の携帯電話機器用のステレオイヤホンジャックのみでアナログ録音及び録音された音楽などの再生動作を行うことができる。
【００２２】
また、この発明の携帯電話機器は、前記オーディオ機器からの再生音を入力して前記記録部又は前記記録再生部で記録中、その再生信号を内蔵レシーバへ出力するように構成したことを特徴としている。
【００２３】
これにより、録音記録中の音を内蔵レシーバで聴取することができる。
【００２４】
また、この発明の携帯電話機器は、前記オーディオ機器からの再生音を入力して前記記録部又は前記記録再生部で記録中、その再生信号を内蔵スピーカへ出力するように構成したことを特徴としている。
【００２５】
これにより、録音記録中の音を内蔵スピーカで聴取することができる。
【００２６】
また、この発明の携帯電話機器は、前記オーディオ機器からの再生音を入力して前記記録部又は前記記録再生部で記録中、その再生信号を後位機器接続用のコネクタの外部音声出力端子へ出力するように構成したことを特徴としている。
【００２７】
これにより、録音記録中の音を後位機器で聴取することができる。
【００２８】
また、この発明の携帯電話機器に用いるイヤホンマイクは、携帯電話機器の本体内部に、オーディオの記録及び再生を行う記録再生部を有するとともにイヤホンマイク用ジャックが実装され、かつ、前記イヤホンマイク用ジャックのリモコン信号用の入力端子にリモコン制御回路と光記録回路とを共通接続した、前記携帯電話機器に用いるイヤホンマイクであって、
前記イヤホンマイクの本体内部にリモコン部を備えるとともに光記録用受光素子を実装し、
前記イヤホンマイクの本体内部において、前記光記録用受光素子の出力端子を前記リモコン部のリモコン信号の出力端子に接続し、
オーディオ機器の再生音信号を光ケーブルにより前記イヤホンマイク本体内部に設けた前記光記録用受光素子を介して前記携帯電話機器の本体内部の前記記録再生部で記録するとともに、前記携帯電話機器の本体内部の前記記録再生部での再生音を前記イヤホンマイク側で聴取するように構成したことを特徴としている。
【００２９】
これにより、このステレオイヤホンマイクと携帯電話機器の本体を接続し、ステレオイヤホンマイクの受光素子に外部オーディオ機器の光デジタル出力を接続することにより、携帯電話機器の本体側に受光素子を増設する必要がなく、既存の携帯電話機器用ステレオイヤホンジャックでも光デジタル録音及び再生を行うことができる。
【００３０】
また、この発明の携帯電話機器用アダプタは、携帯電話機器の本体内部に備えたイヤホンマイク用ジャックを、一般オーディオ用ジャックと同一機能に変換させ、携帯電話機器に接続して使用する携帯電話機器用アダプタであって、
前記携帯電話機器側に設けた記録用Ｌ側及びＲ側の各チャンネル用のアンプの入力端子とそれぞれ接続されるＬ側及びＲ側の各チャンネルの音声出力端子を備え、
前記光デジタル記録用受光素子を実装し、
その受光素子の出力と接続したリモコン信号出力端子を備え、
前記オーディオ機器側で再生の再生音を携帯電話機器側の記録再生部で記録及び再生する際に、前記携帯電話機器に備えた前記イヤホンマイク用のジャックとオーディオ機器との間に介在させることを特徴としている。
【００３１】
これにより、携帯電話機器とこの変換アダプタを接続し、さらにこのこの変換アダプタに外部オーディオ機器のＬＩＮＥ　ＯＵＴやＯＰＴ　ＯＵＴを接続することで、携帯電話機器の本体側に録音専用ジャックや受光素子を増設する必要がなく、既存の携帯電話機器用ステレオイヤホンジャックのみで、光デジタル録音、アナログ録音及び再生を行うことができる。
【００３２】
【発明の実施の形態】
以下、この発明に係る実施の形態について、添付図面を参照しながら詳細に説明する。
［第１の実施の形態］
図１及び図２は、本発明の第１の実施の形態に係る携帯電話機の電気的構成及び結線状態を示すブロック図である。
本実施の形態に係る携帯電話機１は、大略構成として、図１に示すように、本体１Ａに、スイッチ回路１２と、切換え制御部１３と、アンプ部１４と、通話記録再生切換え回路１５と、無線回路１６と、記録再生回路１７と、アンテナ１８と、イヤホンマイク接続ジャック２などとを備えており、このイヤホンマイク接続ジャック２に差し込んだ市販のステレオプラグ３及びオーディオケーブル３０を介してオーディオ機器、例えばＣＤプレーヤ４からの音響信号を記録再生回路１７で記憶（録音）・再生するように構成されている。
【００３３】
スイッチ回路１２は、第１スイッチ１２Ａ〜第５スイッチ１２Ｅで構成されており、切換え制御部１３の制御により、ジャック２の各端子と各アンプ１４との間の回路を開閉させるようになっている。
【００３４】
また、このスイッチ回路１２を構成する第１スイッチ１２Ａ〜第５スイッチ１２Ｅは、それぞれ、図７に示す従来の各スイッチとは異なる接続状態でジャック２の各端子２１〜２５と接続している。
即ち、第１スイッチ１２Ａ及び第４スイッチ１２Ｄは、共にジャック２の一番奥の第１端子２１に接続しているとともに、第２スイッチ１２Ｂ及び第５スイッチ１２Ｅは、共に次の第２端子２２に接続している。一方、第３スイッチ１２Ｃはジャック２の奥から５番目にある第５端子２５に接続している。なお、他の各回路は、図７に示す従来のものと同一状態に接続している。
【００３５】
このように、本実施の形態では、スイッチ回路１２の各スイッチ１２Ａ〜１２Ｅを、それぞれ図７に示す従来のスイッチ回路３０１とは異なる結線状態でイヤホンマイク接続ジャック２の各端子２１〜２５に接続している。従って、市販のステレオ用プラグ３を用いる場合でも、特別な専用のアダプタを用いることなくそのまま使用することができる。
【００３６】
切換え制御部１３は、前述したスイッチ１２の制御とともに、通話記録再生切換え回路１５の制御を行うものであり、出力端子が、それぞれ、第１スイッチ１２Ａ〜第５スイッチ１２Ｅの各端子及び通話記録再生切換え回路１５の入力端子に接続されている。
【００３７】
アンプ部１４には、ＭＩＣ用アンプ１４Ａと、Ｌチャンネル用アンプ１４Ｂと、Ｒチャンネル用アンプ１４Ｃと、Ｌチャンネル録音用アンプ１４Ｄと、Ｒチャンネル録音用アンプ１４Ｅとを備えている。
【００３８】
このうち、ＭＩＣ用アンプ１４Ａは、図２に示すように、後述する携帯電話機１専用のイヤホンマイク５に設けたイヤホンプラグ（又はイヤホンマイク接続プラグ）５１及びイヤホンマイク接続ジャック２を介してマイク５２Ａから取り込む音声信号などを増幅するようになっており、入力端子が第１スイッチ１２Ａに接続されているとともに出力端子が通話記録再生切換え回路１５の入力端子に接続されている。
【００３９】
Ｌチャンネル用アンプ１４Ｂは、通話記録再生切換え回路１５を介して記録再生回路１７からの再生信号を増幅するようになっており、入力端子が通話記録再生切換え回路１５の出力端子に接続されているとともに出力端子が第２スイッチ１２Ｂに接続されている。
【００４０】
Ｒチャンネル用アンプ１４Ｃは、通話記録再生切換え回路１５を介して記録再生回路１７からの再生信号を増幅するようになっており、入力端子が通話記録再生切換え回路１５の出力端子に接続されているとともに出力端子が第３スイッチ１２Ｃに接続されている。
【００４１】
Ｌチャンネル録音用アンプ１４Ｄは、図１に示すように、後述する市販のステレオプラグ３及びオーディオケーブル３０を介してオーディオ機器４からの音響信号を増幅するようになっており、入力端子が第４スイッチ１２Ｄに接続されているとともに、出力端子が通話記録再生切換え回路１５の入力端子に接続されている。
【００４２】
Ｒチャンネル録音用アンプ１４Ｅは、Ｌチャンネル録音用アンプ１４Ｄと同様に、市販のステレオプラグ３及びオーディオケーブル３０を介してオーディオ機器４からの音響信号を増幅するようになっており、入力端子が第５スイッチ１２Ｅに接続されているとともに、出力端子が通話記録再生切換え回路１５の入力端子に接続されている。
【００４３】
通話記録再生切換え回路１５は、切換え制御部１３の制御により、入力するリモコン信号やステレオ信号から通話モード、録音記録モード、録音情報の再生モードのいずれかにモードの切り替えを行うものであり、入力端子が切換え制御部１３の出力端子に接続されている。
【００４４】
記録再生回路１７は、外部機器４などからの音響信号を録音記録すると共に、この録音記録した録音データを再生するものであり、通話記録再生切換え回路１５を介してアンプ部１４に接続されている。
【００４５】
イヤホンマイク接続ジャック２は、一番奥にある第１端子２１がマイク端子、奥から２番目である第２端子２２がＬチャンネル、奥から３番目及び４番目である第３端子２３及び第４端子２４がアース端子、更に奥から５番目である第５端子２５がＲチャンネル、残りの第６端子２６及び第７端子２７が、それぞれステレオ信号検出用、リモコン信号検出用の端子などとなっている。
【００４６】
マイク用端子である第１端子２１は、第１スイッチ１２Ａを介してＭＩＣアンプ１４Ａの入力に接続されているとともに、第４スイッチ１２Ｄを介してＬチャンネル録音用アンプ１４Ｄの入力に接続されている。
【００４７】
主にＬチャンネル用端子を構成する第２端子２２は、第２スイッチ１２Ｂを介してＬチャンネルアンプ１４Ｂの出力に接続されているとともに、第５スイッチ１２Ｅを介してＲチャンネル録音用アンプ１４Ｅの入力に接続されている。
主にＲチャンネル用端子を構成する第５端子２５は、第３スイッチ１２Ｃを介してＲチャンネルアンプ１４Ｃの出力に接続されている。
【００４８】
ステレオ信号検出用端子である第６端子２６及びリモコン信号検出用の端子である第７端子２７は、通話記録再生切換え回路１５に接続されている。
【００４９】
このイヤホンマイク接続ジャック２には、図１に示すように、オーデオ機器４、例えばＣＤプレーヤなどからの音楽などの録音時には、市販のステレオプラグ３及びオーディオケーブル３０を介してＣＤプレーヤなどのｌｉｎｅ　Ｏｕｔが接続するように構成されている。
【００５０】
さらに、このイヤホンマイク接続ジャック２には、図２に示すように、携帯電話機１による通話及び再生時には、後述する図３に示す携帯電話機１専用のイヤホンマイク５に設けたイヤホンプラグ（又はイヤホンマイク接続プラグ）５１を介してイヤホン５３及びマイク５２Ａも接続させることができるように構成されている。
【００５１】
このうち、市販のステレオプラグ３は、図１に示すように、先端部から順に、Ｌチャンネル用導体３１、Ｒチャンネル用導体３２、アース用導体３３を設けた構成であって、このステレオプラグ３を使用して携帯電話機１の外部機器であるオーディオ機器４からのオーディオ信号を携帯電話機１の本体内部の記録再生回路１７に取込んで録音することができるようになっている。
【００５２】
一方、携帯電話専用のイヤホンマイク５には、イヤホンプラグ（又はイヤホンマイク接続プラグ）５１と、操作部５２と、イヤホン５３とを備えている。
このうち、イヤホンプラグ（又はイヤホンマイク接続プラグ）５１は、図２に示すように、イヤホンマイク接続ジャック２の各端子とそれぞれ対応する位置に設けた第１導体５１Ａ〜第６導体５１Ｆを備えている。
【００５３】
即ち、第１導体５１Ａは、イヤホンマイク接続ジャック２の第１端子２１と接続するものであり、マイク５２Ａが接続されている。第２導体５１Ｂは、同第２端子２２と接続するものであり、Ｌチャンネル用イヤホン５３Ｌが接続されている。第３導体５１Ｃは、同第３端子２３と接続するものであり、携帯電話機１側のアースと接続されるようになっている。第４導体５１Ｄは、同第５端子２５と接続するものであり、Ｒチャンネル用イヤホン５３Ｒが接続されている。第５導体５１Ｅは、同第６端子２６と接続するようになっており、イヤホンマイク５からのステレオ信号を検出して通話記録再生切換え回路１５をステレオ駆動するようになっている。第６導体５１Ｆは、同第７端子１０７と接続するようになっており、フックスイッチで構成されるリモコンスイッチ（リモコン部）５２Ｂからのリモコン信号を検出して通話記録再生切換え回路１５の動作を制御するようになっている。
【００５４】
次に、本実施形態の動作について説明する。
（Ｉ）オーディオ機器（ＣＤプレーヤ等）４などによる録音動作：
▲１▼例えば、図１に示すように、オーディオ機器（ＣＤプレーヤ等）４と市販のオーディオケーブル３０を用意する。
▲２▼そして、このオーディオ機器（ＣＤプレーヤ等）４のｌｉｎｅ　Ｏｕｔにそのオーディオケーブル３０の一端の図示外のプラグを接続するとともに、そのオーディオケーブル３０の他端に備えたステレオプラグ３を携帯電話機１のイヤホンマイク接続ジャック２に差し込んで接続する。
【００５５】
▲３▼このようにして、オーディオ機器（ＣＤプレーヤ等）４と携帯電話機１とを接続させたならば、オーディオ機器（ＣＤプレーヤ等）４の設けた図示外のスイッチを操作して、音楽などを再生すると、切換え制御部１３によるスイッチ回路１２の制御により、第１スイッチ１２Ａ、第２スイッチ１２Ｂ、第３スイッチ１２Ｃを開放状態にするとともに、第４スイッチ１２Ｄ及び第５スイッチ１２Ｅを接続状態にする。
▲４▼これにより、オーディオ機器（ＣＤプレーヤ等）４による音響信号が第１導体３１、第１端子２１、第４スイッチ１２Ｄを介してＬチャンネル録音用アンプ１４Ｄで増幅され、通話記録再生切換え回路１５を介して記録再生回路１７に入力され録音がされる。
【００５６】
（ＩＩ）通常の通話：
▲１▼図２に示すように、携帯電話機１専用のイヤホンマイク５を用意し、このイヤホンマイク５の先端に設けたイヤホンプラグ（又はイヤホンマイク接続プラグ）５１をイヤホンマイク接続ジャック２に差し込む。
▲２▼そして、通話相手との通話を行う際には、リモコンスイッチ５２Ｂを操作して、フックスイッチをオンすると、このリモコン信号が第６導体５１Ｆ、第７端子２７、通話記録再生切換え回路１５に入力されるので、イヤホンマイク５による送受話モードに切り替わる。これにより、イヤホンマイク５のマイク５２Ａ及びイヤホン５３を介して通話相手との送話及び受話を行うことができる。
即ち、切換え制御部１３によるスイッチ回路１２の制御により、第１スイッチ１２Ａ〜第３スイッチ１２Ｃを接続状態にするとともに、第４スイッチ１２Ｄ及び第５スイッチ１２Ｅを開放状態にする。
【００５７】
▲３▼これにより、アンテナ１８及び無線回路１６からの音声信号が、Ｌチャンネル及びＲチャンネルのアンプ１４Ｂ及び１４Ｃで増幅された後、第２スイッチ１２Ｂ及び第３スイッチ１２Ｃ、第２端子２２及び第５端子２５、第２導体５２及び第４導体５４を介して、Ｌチヤンネル用及びＲチャンネル用イヤホン５３Ｌ及び５３Ｒから通話相手の音声を聴取することができる。
▲４▼同様にして、使用者の音声が、マイク５２Ａから通話相手先に向けて送り出すことができる。
即ち、マイク５２Ａから取込んだ音声信号は、第１導体５１Ａ、第１端子２１、第１スイッチ１２Ａを介してマイク用アンプ１４Ａで増幅され、通話記録再生切換え回路１５、無線回路１６、アンテナ１８を介して相手側の携帯電話機などへ送信される。
【００５８】
（ＩＩＩ）再生動作：
▲１▼（ＩＩ）の通常の通話の場合と同様にして、予め記録再生回路１７に記憶された音楽などの情報が取出されて、イヤホンマイク５のイヤホン５３で聴取することができる。
即ち、図２に示すように、携帯電話機１専用のイヤホンマイク５を用意し、このイヤホンマイク５の先端に設けたイヤホンプラグ（又はイヤホンマイク接続プラグ）５１をイヤホンマイク接続ジャック２に差し込む。
【００５９】
▲２▼そして、携帯電話機１に記憶されている音楽などの再生を行う際には、リモコンスイッチ５２Ｂを操作して、フックスイッチをオンすると、前述した通話の場合と同様にして、このリモコン信号が第６導体５１Ｆ、第７端子２７、通話記録再生切換え回路１５に入力されるので、イヤホンマイク５による再生モードに切り替わる。これにより、携帯電話機１に記憶されている音楽などの再生音が、イヤホンマイク５のイヤホン５３を介して聴取することができる。
即ち、記録再生回路１７に記憶されている音楽などの再生（音響）信号が通話記録再生切換え回路１５を介してＬチャンネル及びＲチャンネルのアンプ１４Ｂ及び１４Ｃで増幅された後、第２スイッチ１２Ｂ及び第３スイッチ１２Ｃ、第２端子２２及び第５端子２５、第２導体５２及び第４導体５４を介して、Ｌチヤンネル用及びＲチャンネル用イヤホン５３Ｌ及び５３Ｒで再生音を再生・聴取することができる。
【００６０】
このように、本実施の形態によれば、図１に示すように、市販のステレオ用プラグ３をそのまま使用することで、オーディオ機器４などを介してＣＤ、ＭＤ或いはテープなど各種の記憶媒体に記憶された音楽などの情報を、携帯電話機１に直接録音させることができる。
【００６１】
また、本実施の形態によれば、図２に示すように、携帯電話機１専用のイヤホンマイク５及びこのイヤホンマイク５に設けてあるプラグ５１を用いて、切換え制御部１３で制御することにより、電話による通話を行うことができるとともに、携帯電話機１に記憶させた音楽などの情報もそのイヤホンマイク５を用いて再生・聴取することができる。
【００６２】
これにより、各種の記憶媒体に記憶された音楽などの情報を、携帯電話機１専用のイヤホンマイク５を用いて、特別なアダプタを必要とせずに、携帯電話機１をＣＤプレーヤやＭＤプレーヤ等の代替手段としても使用することができる。その結果、別言すれば、特別のアダプタを持ち歩かなくても、携帯電話機１により音楽などの録音情報を再生することができるという利点を有する。
【００６３】
［第２の実施の形態］
次に、本発明の第２の実施の形態に係る携帯電話機及びイヤホンマイクについて説明する。なお、この実施形態において、第１の実施形態と同一部分には同一符号を付して重複説明を避ける。
図３は本発明の第２の実施の形態に係る携帯電話機１の概略構成及び電気的結線を示すブロック図、図４は同実施の形態に用いるイヤホンマイク５を示す概略構成図である。
【００６４】
本発明の第２の実施の形態では、オーディオ機器４からの光録音を行うものであり、携帯電話機１には第１の実施の形態における携帯電話機１とは異なり、通話記録再生切換え回路１５に、リモコン制御回路１５Ａと光記録回路（以下、光録音回路とよぶ）１５Ｂとを備えているが、イヤホンマイク接続ジャック２の各端子は第１の実施の形態のものと全く同一の構成となっている。
なお、光録音回路１５Ｂは、ジャック２の最も外側の端子、すなわち、リモコン用の端子２７に接続されている。
【００６５】
一方、そのイヤホンマイク接続ジャック２に差し込んで接続するイヤホンマイク５には、図４（Ａ）に示すように、イヤホンプラグ（又はイヤホンマイク接続プラグ）５１と、操作部５２と、イヤホン５３とを備えている。
【００６６】
このうち、イヤホンプラグ（又はイヤホンマイク接続プラグ）５１及びイヤホン５３は、第１の実施形態と同一構成となっている。
一方、操作部５２には、マイク５２Ａ及びリモコンスイッチ５２Ｂの他に、受光部５２Ｃを備えており、この受光部５２Ｃには、図４（Ｂ）に示すように、オーディオ機器４のＯｐｔ　Ｏｕｔに接続された市販の光ケーブル４０の一端のプラグ４０Ａが接続可能なジャック５２Ｄと、プラグ４０Ａの先端の出射部（図示せず）から出射される光信号を受ける受光素子５２Ｅとを備えた構成となっている。
【００６７】
受光素子５２Ｅは、リモコンスイッチ５２Ｂと並列に設けられてリモコンスイッチ５２Ｂからの出力信号と共通接続されており、この受光素子５２Ｅにオーディオ機器４からの光信号が光ケーブル４０、プラグ４０Ａを介して入力されるように構成されている。
【００６８】
次に、本実施の形態に係る光録音動作について説明する。
この第２の実施の形態では、光録音動作を行う場合、
▲１▼リモコンスイッチ５２Ｂからのリモコン信号を、リモコン端子２７を介してリモコン制御回路１５Ａに出力し、光信号を記憶するモード状態に切換える。
▲２▼そして、この光録音モードを設定したときには、オーディオ機器４からの音楽などの音響信号に対応した光信号が光ケーブル４０、プラグ４０Ａ（図４（Ｂ）参照）を介して受光素子５２Ｅに伝播し、この受光素子５２Ｅで電気（音響）信号に変換される。
▲３▼そして、この電気（音響）信号は、携帯電話機１内部において、リモコン端子２７を介して光録音回路１５Ｂへ出力され、この電気（音響）信号が光録音回路１５Ｂから記録再生回路１７へ入力されてそこで録音することができる。
【００６９】
従って、本実施の形態によれば、携帯電話機１の本体１Ａ側に受光素子を装備しなくても、光デジタル録音を行うことができる。しかも、第２スイッチ１８及び第３スイッチ１９を接続状態とし、記録再生回路１７において録音中の音楽（音響信号）をＬチャンネルアンプ１４Ｂ及びＲチャンネルアンプ１４Ｃから出力することにより、録音中の音楽（音響信号）をイヤホン５３でモニタ聴取することもできる。
【００７０】
［第３の実施の形態］
次に、本発明の第３の実施の形態における携帯電話機、変換アダプタ及びイヤホンマイクについて説明する。なお、この実施形態において、第１、第２の実施形態と同一部分には同一符号を付して重複説明を避ける。
図５は本発明の第３の実施の形態に係る携帯電話機１の概略構成及び電気的結線を示すブロック図、図６は同実施の形態に用いる変換アダプタ６を示す概略構成図である。
【００７１】
本発明の第３の実施の形態では、オーディオ機器４からの光録音を行うものであり、携帯電話機１には第１、第２の実施の形態における携帯電話機１とは異なり、通話記録再生切換え回路１５に、光録音回路１５Ｂを備えているが、イヤホンマイク接続ジャック２の各端子は第１の実施の形態のものと全く同一の構成となっている。
なお、光録音回路１５Ｂは、第２の実施の形態と同様に、ジャック２の最も外側の端子、すなわち、リモコン用の端子２７に接続されている。
【００７２】
一方、この実施形態では、携帯電話機１にオーディオ機器４及び市販のヘッドホン７を同時に接続させるため、専用の変換アダプタ６を装着させるようになっている。この変換アダプタ６は、図６に示すように、導体部６１と、端子部６２と、受光部６３とを備えており、導体部６１には、第１導体６１Ａ〜第６導体部６１Ｆが先端部から順に配設されているとともに、端子部６２には、第１端子６２Ａ〜第４端子６２Ｄが設けられている。
【００７３】
第１導体６１Ａは、イヤホンマイク接続ジャック２の第１端子２１に接続されるようになっている。
【００７４】
第２導体６１Ｂは、図示外の内部配線を介してＬチャンネル用の第１端子６２Ａに接続されており、イヤホンマイク接続ジャック２のＬチャンネル用の第２端子２２に接続されるようになっている。
【００７５】
第３導体６１Ｃは、図示外の内部配線を介してアース用の第３端子６２Ｃ及び第４端子６２Ｄに接続されており、イヤホンマイク接続ジャック２のアース用の第３端子２３及び第４端子２４に接続されるようになっている。
【００７６】
第４導体６１Ｄは、図示外の内部配線を介してＲチャンネル用の第２端子６２Ｂに接続されており、イヤホンマイク接続ジャック２のＲチャンネル用の第５端子２５に接続されるようになっている。
【００７７】
第５導体６１Ｅは、イヤホンマイク接続ジャック２のステレオ信号検出用の第６端子２６に接続されるようになっている。第６導体６１Ｆは、イヤホンマイク接続ジャック２の（リモコン信号及び）受光素子出力用の第７端子２７に接続されるようになっている。
【００７８】
なお、受光部６３は、第２の実施の形態と同様の構成であり、図６（Ｂ）に示すように、オーディオ機器４のＯｐｔ　Ｏｕｔに接続された市販の光ケーブル４０の一端のプラグ４０Ａが接続可能なジャック６３Ａと、プラグ４０Ａの先端の出射部（図示せず）から出射される光信号を受ける受光素子６３Ｂとを備えた構成となっている。なお、この受光部６３には、図示外のリモコンスイッチを設け、この出力端子と受光素子６３Ｂの出力端子を並列接続させることで、光録音時以外は、このリモコンスイッチで通話・録音・再生・切換え回路１５の動作を制御することができる。
【００７９】
一方、イヤホンマイク接続ジャック２に差し込んで接続する変換アダプタ６には、市販のヘッドホン７が接続されるようになっている。
このヘッドホン７には、一端にイヤホンプラグ７１が取付けられているとともに他端にイヤホン７２が取付けられている。
【００８０】
イヤホンプラグ７１には、先端から順に、Ｌチャンネル用の第１導体７１Ａ、Ｒチャンネル用の第２導体７１Ｂ、アース用の第３導体７１Ｃがそれぞれ設けられている。
【００８１】
このうち、第１導体７１Ａは、図示外の内部配線を介してＬチャンネル用のイヤホン７２Ｌと接続されており、変換アダプタ６側のＬチャンネル用の第１端子６２Ａと接続するようになっている。
【００８２】
一方、第２導体７１Ｂは、図示外の内部配線を介してＲチャンネル用のイヤホン７２Ｒと接続されており、変換アダプタ６側のＲチャンネル用の第２端子６２Ｂと接続するようになっている。
【００８３】
アース用の第３導体７１Ｃは、変換アダプタ６側のアース用の第３端子６２Ｃ及び第４端子６２Ｄと接続するようになっている。
【００８４】
従って、この第３の実施形態によれば、携帯電話機１、変換アダプタ６、ヘッドホン７及びオーディオ機器４を用いて光録音動作を行う場合、記録媒体に記録された音楽情報などがオーディオ機器４で再生され、そのオーディオ信号に対応した光信号が受光部６３で電気（音響）信号に変換されたのち、変換アダプタ６を介して、携帯電話機１側へ出力される。その後、第２の実施形態と同様にして、その電気（音響）信号が記録再生回路１７で録音記憶される。
また、この録音中に、同時に第２スイッチ１２Ｂ及び第３スイッチ１２Ｃを接続状態に設定すると、記録再生回路１７で録音中の音響信号をアンプ１４Ｂ及びアンプ１４Ｃから出力することにより、イヤホン７２でモニタ聴取することができる。
【００８５】
また、この第３実施形態によれば、受光素子内蔵の変換アダプタ６を用いれば、市販のヘッドホン７が接続可能であるから、わざわざ携帯電話機専用のイヤホンを用意しなくてもそれが使用できる。
さらに、この光録音中の音響信号を携帯電話機１の内蔵するレシーバ又はスピーカに出力すれば、使用者は録音状態をそのレシーバ又はスピーカでモニタ聴取することができる。
さらに、この光録音中の音響信号を携帯電話機１の後位機器接続用のコネクタ外部音声出力端子に出力すれば、使用者はその録音状態を後位機器でモニタ聴取することも可能となる。
【００８６】
【発明の効果】
以上説明してきたように、この発明では、携帯電話機器兼オーディオ用のイヤホンマイク用ジャックの各端子をスイッチ回路を介して各アンプに接続しており、録音専用のジャックを持たない携帯電話機器であっても、また、市販のステレオプラグを用いても、オーディオ機器などの外部機器からの音楽情報などを携帯電話機器側に録音することができる。
【００８７】
また、その携帯電話機器に録音されていた音楽情報などの再生音などを、携帯電話機器兼オーディオ用のイヤホンマイク用ジャックをそのまま用いて、また、携帯電話機器専用のイヤホンを使用して、聴取することができる。
【００８８】
従って、本発明によれば、市販のプラグをそのまま用いて、オーディオ機器などからのオーディオ信号を取込んで録音することができるので、携帯電話機器本体の大型化、コストの増大、ユーザの利便性の低下等をもたらす虞のない携帯電話機器を提供すること画できる。
【図面の簡単な説明】
【図１】本発明の第１の実施の形態に係る携帯電話機及びオーディオ機器を、市販のステレオケーブルで接続してオーディオ録音するときの状態を示す構成ブロック図である。
【図２】本発明の第１の実施の形態に係る図１の携帯電話機に携帯電話機専用のイヤホンを接続した状態を示す構成ブロック図である。
【図３】本発明の第２の実施の形態に係る携帯電話機及びオーディオ機器を、受光素子内蔵のイヤホンマイク及び光ケーブルにより光接続させて光録音するときの状態を示す構成ブロック図である。
【図４】（Ａ）は図３に示す本発明の第２の実施の形態での光接続に使用する受光素子内蔵のイヤホンマイクを示す概略構成図、（Ｂ）はその要部構成図である。
【図５】本発明の第３の実施の形態に係る携帯電話機及びオーディオ機器を、変換アダプタ及び光ケーブルで接続してオーディオ録音するときの状態を示す構成ブロック図である。
【図６】（Ａ）は図５に示す本発明の第３の実施の形態での光接続に使用する受光素子内蔵の変換アダプタを示す概略構成図、（Ｂ）はその要部構成図である。
【図７】従来の録音機能付き携帯電話機において、携帯電話機専用のイヤホンによる通話又は再生状態を示す概略構成図である。
【図８】図７に示す携帯電話機に備えた携帯電話機専用のステレオイヤホンジャックを示す概略構成図である。
【図９】図８に示す携帯電話機専用のステレオイヤホンジャックに使用する専用のステレオイヤホンプラグを示す概略構成図である。
【図１０】市販のステレオプラグを示す概略構成図である。
【図１１】従来の録音機能付き携帯電話機による録音時のオーディオ機器との接続状態を示す概略構成図である。
【図１２】受光素子内蔵型の携帯電話機専用のイヤホンジャックを用いてオーディオ機器から携帯電話機に録音するときの状態を示す概略構成図である。
【図１３】図１２で用いた受光素子内蔵型の携帯電話機専用のイヤホンジャックを示す概略構成図である。
【符号の説明】
１　　　　携帯電話機
１Ａ　　　本体
１２　　　スイッチ回路
１２Ａ　　第１スイッチ
１２Ｅ　　第５スイッチ
１３　　　切換え制御部
１４　　　アンプ部
１４Ａ　　ＭＩＣ用アンプ
１４Ｂ　　Ｌチャンネル用アンプ
１４Ｃ　　Ｒチャンネル用アンプ
１４Ｄ　　Ｌチャンネル録音用アンプ
１４Ｅ　　Ｒチャンネル録音用アンプ
１５　　　通話記録再生切換え回路
１５Ａ　　リモコン制御回路
１５Ｂ　　光記録回路（以下、光録音回路とよぶ）
１６　　　無線回路
１７　　　記録再生回路
１８　　　アンテナ
２　　　　イヤホンマイク接続ジャック
２１　　　第１端子（マイク端子）
２２　　　第２端子（Ｌチャンネル）
２３、２４
第３端子、第４端子（アース端子）
２５　　　第５端子（Ｒチャンネル）
２６　　　第６端子（ステレオ信号検出用）
２７　　　第７端子（リモコン信号検出用）
３　　　　市販のステレオプラグ
３０　　　オーディオケーブル
３１　　　Ｌチャンネル用導体
３２　　　Ｒチャンネル用導体
３３　　　アース用導体
４　　　　オーディオ機器（例えばＣＤプレーヤ）
４０Ａ　　プラグ
５　　　　携帯電話専用のイヤホンマイク
５１　　　イヤホンプラグ（又はイヤホンマイク接続プラグ）
５１Ａ〜５１Ｆ
第１導体〜第６導体
５２　　　操作部
５２Ｂ　　リモコンスイッチ
５２Ｃ　　受光部（受光素子）
５２Ｄ　　ジャック
５２Ｅ　　受光素子
５３　　　イヤホン
６　　　　変換アダプタ
６１　　　導体部
６１Ａ〜６１Ｆ
第１導体〜第６導体部
６２　　　端子部
６２Ａ〜６２Ｄ
第１端子〜第４端子
６３　　　受光部
【図１】
2004056485.tif 000003
【図２】
2004056485.tif 000004
【図３】
2004056485.tif 000005
【図４】
2004056485.tif 000006
【図５】
2004056485.tif 000007
【図６】
2004056485.tif 000008
【図７】
2004056485.tif 000009
【図８】
2004056485.tif 000010
【図９】
2004056485.tif 000011
【図１０】
2004056485.tif 000012
【図１１】
2004056485.tif 000013
【図１２】
2004056485.tif 000014
【図１３】
2004056485.tif 000015